【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
情報処理装置によりプリンターに画像を登録する画像登録方法であって、
前記情報処理装置が、
アプリケーションの印刷実行画面におけるプリンター選択欄から、第１のプリンタードライバーを選択した場合に、画像編集用の専用ツールを起動する専用ツール起動ステップと、
前記アプリケーションによって作成した印刷データを前記専用ツールに出力する印刷データ出力ステップと、
前記専用ツールによって、前記印刷データに対する画像編集を行い、前記画像の登録データを生成する画像編集ステップと、
前記専用ツールによって、前記登録データと、当該登録データを前記プリンターに登録するための登録指令と、を出力する登録指令ステップと、を実行することを特徴とする画像登録方法。
【請求項２】
前記印刷データ出力ステップでは、前記印刷データを、前記専用ツールで処理可能な画像ファイルフォーマットに変換して、前記専用ツールに出力することを特徴とする請求項１に記載の画像登録方法。
【請求項３】
前記画像編集ステップの編集モードを、ユーザーの操作に従って前記画像編集を行う手動編集モードと、予め設定した設定値に基づいて前記画像編集を行う自動編集モードとの間で選択するモード選択ステップを、さらに実行することを特徴とする請求項１に記載の画像登録方法。
【請求項４】
前記手動編集モード時の前記画像編集における編集内容を、前記設定値として記憶する記憶ステップを、さらに実行することを特徴とする請求項３に記載の画像登録方法。
【請求項５】
前記画像編集ステップでは、前記画像編集として、位置調整処理、サイズ調整処理、ハーフトーン処理および前記プリンターの機種に応じた画像変換処理の少なくとも１つを施すことを特徴とする請求項１ないし４のいずれか１項に記載の画像登録方法。
【請求項６】
前記登録データを、前記プリンターのメモリーに登録することを特徴とする請求項１に記載の画像登録方法。
【請求項７】
前記アプリケーションの印刷実行画面におけるプリンター選択欄から、第２のプリンタードライバーを選択した場合は、前記第２のプリンタードライバーにより、前記アプリケーションによって作成した印刷データを、前記プリンターで印刷可能なファイルフォーマットの印刷データに変換すると共に、当該変換した印刷データを印刷するための印刷指令を生成する印刷指令ステップを実行することを特徴とする請求項１に記載の画像登録方法。
【請求項８】
前記第１のプリンタードライバーは、前記専用ツールを起動するツール起動用のプリンタードライバーであり、
前記第２のプリンタードライバーは、実プリンタードライバーである、
ことを特徴とする請求項７に記載の画像登録方法。
【請求項９】
前記登録指令ステップでは、前記登録データおよび前記登録指令を前記プリンターに送信し、
前記印刷指令ステップでは、前記変換した印刷データおよび前記印刷指令を前記プリンターに送信する、
ことを特徴とする請求項７に記載の画像登録方法。
【請求項１０】
コンピューターに、請求項１ないし９のいずれか１項に記載の画像登録方法における各ステップを実行させるためのプログラムが記録された、コンピューターが読み取り可能な記録媒体。
【請求項１１】
プリンターに画像を登録する情報処理装置であって、
印刷データを作成するアプリケーションと、
画像編集用の専用ツールと、
アプリケーションの印刷実行画面におけるプリンター選択欄から選択されるプリンタードライバーであって、前記専用ツールを起動すると共に、前記アプリケーションが作成した前記印刷データを前記専用ツールに出力する第１のプリンタードライバーと、を備え、
前記専用ツールは、前記印刷データに対する画像編集を行い、前記画像の登録データを生成すると共に、前記登録データと当該登録データを前記プリンターに登録するための登録指令とを出力することを特徴とする情報処理装置。
【請求項１２】
前記アプリケーションの印刷実行画面におけるプリンター選択欄から選択されるプリンタードライバーであって、前記アプリケーションが作成した印刷データを、前記プリンターで印刷可能なファイルフォーマットの印刷データに変換すると共に、当該変換された印刷データを印刷するための印刷指令を生成する、第２のプリンタードライバーを、さらに備えることを特徴とする請求項１１に記載の情報処理装置。
【請求項１３】
前記第１のプリンタードライバーは、前記専用ツールを起動するツール起動用のプリンタードライバーであり、
前記第２のプリンタードライバーは、実プリンタードライバーである、
ことを特徴とする請求項１２に記載の情報処理装置。
【請求項１４】
前記プリンターとの通信を行う通信部を、さらに備え、
前記通信部は、
前記登録データおよび前記登録指令を前記プリンターに送信し、前記変換した印刷データおよび前記印刷指令を前記プリンターに送信する、
ことを特徴とする請求項１２に記載の情報処理装置。
【手続補正２】
【補正対象書類名】明細書
【補正対象項目名】発明の名称
【補正方法】変更
【補正の内容】
【発明の名称】画像登録方法、記録媒体および情報処理装置
【手続補正３】
【補正対象書類名】明細書
【補正対象項目名】０００１
【補正方法】変更
【補正の内容】
【０００１】
本発明は、ロゴ、クーポン画像およびウォーターマーク等の画像を、プリンターに登録する画像登録方法、プログラムが記録された記録媒体および情報処理装置に関するものである。
【手続補正４】
【補正対象書類名】明細書
【補正対象項目名】０００５
【補正方法】変更
【補正の内容】
【０００５】
本発明は、画像ファイルを作成・編集するための特別なアプリケーションや、それを操作するための特段の知識を必要とせずに、ロゴデータの作成・登録処理を容易に行うことができる画像登録方法、プログラムが記録された記録媒体および情報処理装置を提供することを課題としている。
【手続補正５】
【補正対象書類名】明細書
【補正対象項目名】０００６
【補正方法】変更
【補正の内容】
【０００６】
本発明の画像登録方法は、情報処理装置によりプリンターに画像を登録する画像登録方法であって、情報処理装置が、アプリケーションの印刷実行画面におけるプリンター選択欄から、第１のプリンタードライバーを選択した場合に、画像編集用の専用ツールを起動する専用ツール起動ステップと、アプリケーションによって作成した印刷データを専用ツールに出力する印刷データ出力ステップと、専用ツールによって、印刷データに対する画像編集を行い、画像の登録データを生成する画像編集ステップと、専用ツールによって、登録データと、当該登録データをプリンターに登録するための登録指令と、を出力する登録指令ステップと、を実行することを特徴とする。
【手続補正６】
【補正対象書類名】明細書
【補正対象項目名】０００７
【補正方法】変更
【補正の内容】
【０００７】
本発明の情報処理装置は、プリンターに画像を登録する情報処理装置であって、印刷データを作成するアプリケーションと、画像編集用の専用ツールと、アプリケーションの印刷実行画面におけるプリンター選択欄から選択されるプリンタードライバーであって、専用ツールを起動すると共に、アプリケーションが作成した印刷データを専用ツールに出力する第１のプリンタードライバーと、を備え、専用ツールは、印刷データに対する画像編集を行い、画像の登録データを生成すると共に、登録データと当該登録データをプリンターに登録するための登録指令とを出力することを特徴とする。
【手続補正７】
【補正対象書類名】明細書
【補正対象項目名】０００８
【補正方法】変更
【補正の内容】
【０００８】
これらの構成によれば、プリンター選択欄から、専用ツールを起動するツール起動用のプリンタードライバーが選択されたときに、画像編集用の専用ツールを起動し、アプリケーションによって作成された印刷データを元データとして、画像の登録データを作成する。すなわち、印刷データを作成するアプリケーション上で印刷指示を行うのと同様の操作で、専用ツールの起動と元データの指定とを行うことができ、登録データの作成・登録処理を行うことができる。そのため、アプリケーションを起動し操作するための知識さえあれば、特段の知識を必要とせずに、登録データの作成・登録処理を容易に行うことができる。
【手続補正８】
【補正対象書類名】明細書
【補正対象項目名】００１１
【補正方法】変更
【補正の内容】
【００１１】
一方、画像編集ステップの編集モードを、ユーザーの操作に従って画像編集を行う手動編集モードと、予め設定した設定値に基づいて画像編集を行う自動編集モードとの間で選択するモード選択ステップを、さらに実行することが好ましい。
【手続補正９】
【補正対象書類名】明細書
【補正対象項目名】００１６
【補正方法】変更
【補正の内容】
【００１６】
この構成によれば、プリンターの仕様に合わせた詳細な画像編集を行うことができる。
一方、登録データを、プリンターのメモリーに登録することが好ましい。
また、アプリケーションの印刷実行画面におけるプリンター選択欄から、第２のプリンタードライバーを選択した場合は、第２のプリンタードライバーにより、アプリケーションによって作成した印刷データを、プリンターで印刷可能なファイルフォーマットの印刷データに変換すると共に、当該変換した印刷データを印刷するための印刷指令を生成する印刷指令ステップを実行することが好ましい。
この場合、第１のプリンタードライバーは、専用ツールを起動するツール起動用のプリンタードライバーであり、第２のプリンタードライバーは、実プリンタードライバーである、ことが好ましい。
また、登録指令ステップでは、登録データおよび登録指令をプリンターに送信し、印刷指令ステップでは、変換した印刷データおよび印刷指令をプリンターに送信する、ことが好ましい。
【手続補正１０】
【補正対象書類名】明細書
【補正対象項目名】００１７
【補正方法】変更
【補正の内容】
【００１７】
本発明の記録媒体は、コンピューターに、上記の画像登録方法における各ステップを実行させるためのプログラムが記録された、コンピューターが読み取り可能な記録媒体である。
【手続補正１１】
【補正対象書類名】明細書
【補正対象項目名】００１８
【補正方法】変更
【補正の内容】
【００１８】
この構成によれば、本プログラムを搭載するだけで、上記の画像登録方法における各ステップを実行させることができる。
上記の情報処理装置において、アプリケーションの印刷実行画面におけるプリンター選択欄から選択されるプリンタードライバーであって、アプリケーションが作成した印刷データを、プリンターで印刷可能なファイルフォーマットの印刷データに変換すると共に、当該変換された印刷データを印刷するための印刷指令を生成する、第２のプリンタードライバーを、さらに備えることが好ましい。
この場合、第１のプリンタードライバーは、専用ツールを起動するツール起動用のプリンタードライバーであり、第２のプリンタードライバーは、実プリンタードライバーである、ことが好ましい。
また、プリンターとの通信を行う通信部を、さらに備え、通信部は、登録データおよび登録指令をプリンターに送信し、変換した印刷データおよび印刷指令をプリンターに送信する、ことが好ましい。
【手続補正１２】
【補正対象書類名】明細書
【補正対象項目名】００２０
【補正方法】変更
【補正の内容】
【００２０】
以下、添付の図面を参照し、本発明の一実施形態に係る画像登録方法、記録媒体および情報処理装置について説明する。本実施形態では、画像登録方法を適用した印刷システムを例示する。この印刷システムは、ＰＯＳシステムで用いられ、具体的には、レシート用紙に印刷処理を施して、レシートを発行するのに用いられる。また、印刷システムは、レシートプリンターにロゴ（画像）を登録する機能を有している。すなわち、本印刷システムでは、レシートプリンターにロゴを登録し、レシートプリンターにより印刷データにロゴを付加して印刷処理を行う。
【手続補正１３】
【補正対象書類名】明細書
【補正対象項目名】００２７
【補正方法】変更
【補正の内容】
【００２７】
実プリンタードライバー２２（第２のプリンタードライバー）は、アプリケーション２１から出力された印刷データを、レシートプリンター２で印刷可能なファイルフォーマットの印刷データに変換すると共に、当該印刷データを印刷するための印刷コマンドを生成する。そして、通信部１８により、変換された印刷データと印刷コマンドとを、レシートプリンター２に送信する。これにより、レシートプリンター２に対する印刷指示が行われる。実プリンタードライバー２２は、アプリケーション２１の印刷実行画面におけるプリンター選択欄から、当該実プリンタードライバー２２が選択された場合に、印刷データの変換処理を実行する。
【手続補正１４】
【補正対象書類名】明細書
【補正対象項目名】００２８
【補正方法】変更
【補正の内容】
【００２８】
ツール起動用の擬似プリンタードライバー２４（第１のプリンタードライバー）は、専用ツール２３を起動すると共に、アプリケーション２１から出力された印刷データを専用ツール２３に出力する。擬似プリンタードライバー２４は、アプリケーション２１の印刷実行画面におけるプリンター選択欄から、当該擬似プリンタードライバー２４が選択された場合に、専用ツール２３の起動処理および印刷データの出力処理を実行する。また、擬似プリンタードライバー２４は、印刷データを出力する際、専用ツール２３で処理可能な所定の画像ファイルフォーマット（例えば、ＢＭＰファイル）に変換してレシートプリンター２に出力する。